(57)【要約】【課題】ノック体を押圧することにより筆記体の筆記先端部を軸筒の先端開口部より突出して維持し、筆記具を机上等へ置いた際の軸筒への僅かな衝撃により、ノック体を元の位置に自動復帰させ、筆記体の筆記先端部を軸筒の先端開口部に没入させるノック式筆記具を得る。【解決手段】ノック体５に、先端を傾斜壁面１１とし、ホルダー押棒体１３を設けた摺動部材１０連接する。該摺動部材１０の前方に前方壁部材１５を設け、摺動部材１０とで形成されたボール収容室２０にボール２１を収容する。筆記体２４の後端部に、ボール挟持棒体２７を有したホルダー部材２５を設ける。前記ボール挟持棒体２７でボール２１を挟持することで、筆記体２４の筆記先端部３３を口先部４の先端開口部１２から突出した状態を維持するようにする。【選択図】図１
2010105177.tif 000002
【特許請求の範囲】
【請求項１】
軸筒内に収容したばねにより後方に付勢した筆記体を、軸筒の後端部に設けたノック体を押圧して前進させ、筆記体の筆記先端部を軸筒の先端開口部から突出するノック式筆記具であって、前記軸筒の後端部の内部に、ばねにより後方に付勢したノック体を、軸筒の軸径方向において偏倚した位置に配し、軸径方向の偏倚した位置と反対側の軸筒の後端部の内部に、内側に突出して軸心方向に伸び、先端面を平坦面とした突出部を形成し、ノック体の先端に、先端を傾斜壁面とし、該傾斜壁面の前方側に位置する前方端部に軸筒の先端開口部側に向って突出したホルダー押棒体を設けた摺動部材を、傾斜壁面の前記ホルダー押棒体と反対側の後方端部が、前記突出部側に位置するように連接し、傾斜壁面の軸筒の先端開口部側の前方の軸筒内に、軸筒に対して移動することのないように前方側壁部を設けて、該前方壁部と摺動部材の傾斜壁面と突出部とで構成されるボール収容室を形成し、該ボール収容室内にボールを収容し、前方壁部の前方の軸筒内に前後に移動可能に収容した筆記体の後端部に、該後端部を保持したホルダー部材を設け、該ホルダー部材の後端に、前方壁部に貫通してボール収容室内に突出し前方壁部に対して移動可能なボール挟持棒体を設け、前記摺動体のホルダー押棒体を、前方壁部を貫通して前方壁部に対して前後動可能にかつ先端がホルダー部材の後端面に当接させた構造とし、ボール収容室内に収容されたボールをボール挟持棒体と軸筒に設けた突出部の先端面とで挟持することで、筆記体の筆記先端部を軸筒の先端開口部から突出した状態を維持し、ボールが挟持から抜け出すことにより筆記体の筆記先端部が軸筒の先端開口部に没入することを特徴とする、ノック式筆記具。
【発明の詳細な説明】
【技術分野】
【０００１】
本発明は、ノック体を押圧することにより筆記体の筆記先端部を軸筒の先端開口部より突出し、筆記具を机上等へ載置した際の軸筒への僅かな衝撃により筆記体の筆記先端部を軸筒の先端開口部に没入させる自動復帰機構を設けた、ノック式筆記具に関する。
【背景技術】
【０００２】
従来、軸筒に設けられたノック操作部に連接した筆記体を、ノック操作により筆記体の筆記先端部を軸筒の先端開口部より突出し、筆記具を横にすると自動的に筆記体の筆記先端部が軸筒の先端開口部に没入する筆記具が、特開２００７−１５２３９号公報により提案されている。
【０００３】
前記公報に記載された「ボールペン」における自動復帰機構は、（イ）ノッカー４に係脱する係合部１２を備えた作動軸１０と、該作動軸１０の後端に設けた曲折可能なジョイント部材６と、該ジョイント部材６に連結した錘部材８とを備え、（ロ）前記ノッカー４を押し下げて筆記体２の先端を筆記具本体１の先端から突出させるとき、該ノッカー４は作動軸１０の係合部１２に係合し、作動軸１０を押し下げるとともに、ノッカー４に形成された係止凸部１５の上面がガイド筒９の底面に当接し、（ハ）筆記具本体１を傾けたときには、上記錘部材８が傾動して作動軸１０を持ち上げ、作動軸１０の係合部１２が、上記係止凸部１５の上面がガイド筒９の底面に当接したのを解除するものである。
【０００４】
前記技術のノック操作により筆記体の筆記先端部を軸筒の先端開口部より出没させる出没機構は、隆起部を有したスライド片（ノッカー４）を各筆記体の後端に装着し、隆起部を軸筒後端部に形成した摺動溝より外方に突出させ、隆起部を軸筒の先端方向に前進操作することにより筆記体を前進させ、スライド片（ノッカー４）に形成した係止部を軸筒後端部に形成した被係止部に係止して筆記体の先端部を軸筒の先端開口部から突出させてなる「スライド式」と呼ばれている繰出機構であり、それが故に、軸筒の後端に自動復帰機構を付設した構造となっている。ノック可能に軸筒の後端開口部より一部を外方に突出させたノック体を配した出没機構では、採用が困難である。
【０００５】
また、錘部材８を利用して、筆記具本体１を傾けたときに、前記錘部材８が傾動して作動軸１０を持ち上げ、作動軸１０の係合部１２が、上記係止凸部１５の上面がガイド筒９の底面に当接したのを解除する構造のために、筆記時においては、筆記具本体を傾けて筆記するのが極普通であり、普通の筆記時のときより傾けた際に作動軸１０を持ち上げるようにするには、錘部材８をより傾動させたときに作動軸１０を持ち上げる必要があり、錘部材８を収容する収容部７は大きな容積が必要となり、デザイン上好ましいものではない。また、筆記面が、例えば机上等に置かれた紙面に筆記する場合だけとは限らず、黒板等の立設した壁面に貼られた紙面に筆記する場合もある。こうした場合には、筆記具本体を略水平にした状態で筆記するようになり、筆記ができないという問題がでてしまう。
【特許文献１】特開２００７−１５２３９号公報
【発明の開示】
【発明が解決しようとする課題】
【０００６】
本発明は、軸筒の後端部内に、ノック可能に軸筒の後端開口部より一部を外方に突出させたノック体を配したノック式筆記具において、ノック体を押圧することにより筆記体の筆記先端部を軸筒の先端開口部より突出して維持し、筆記具を机上等へ置いた際の軸筒への僅かな衝撃により、ノック体を元の位置に自動復帰させ、筆記体の筆記先端部を軸筒の先端開口部に没入させるノック式筆記具を得るものである。
【課題を解決するための手段】
【０００７】
本発明は、
「１．軸筒内に収容したばねにより後方に付勢した筆記体を、軸筒の後端部に設けたノック体を押圧して前進させ、筆記体の筆記先端部を軸筒の先端開口部から突出するノック式筆記具であって、前記軸筒の後端部の内部に、ばねにより後方に付勢したノック体を、軸筒の軸径方向において偏倚した位置に配し、軸径方向の偏倚した位置と反対側の軸筒の後端部の内部に、内側に突出して軸心方向に伸び、先端面を平坦面とした突出部を形成し、ノック体の先端に、先端を傾斜壁面とし、該傾斜壁面の前方側に位置する前方端部に軸筒の先端開口部側に向って突出したホルダー押棒体を設けた摺動部材を、傾斜壁面の前記ホルダー押棒体と反対側の後方端部が、前記突出部側に位置するように連接し、傾斜壁面の軸筒の先端開口部側の前方の軸筒内に、軸筒に対して移動することのないように前方側壁部を設けて、該前方壁部と摺動部材の傾斜壁面と突出部とで構成されるボール収容室を形成し、該ボール収容室内にボールを収容し、前方壁部の前方の軸筒内に前後に移動可能に収容した筆記体の後端部に、該後端部を保持したホルダー部材を設け、該ホルダー部材の後端に、前方壁部に貫通してボール収容室内に突出し前方壁部に対して移動可能なボール挟持棒体を設け、前記摺動体のホルダー押棒体を、前方壁部を貫通して前方壁部に対して前後動可能にかつ先端がホルダー部材の後端面に当接させた構造とし、ボール収容室内に収容されたボールをボール挟持棒体と軸筒に設けた突出部の先端面とで挟持することで、筆記体の筆記先端部を軸筒の先端開口部から突出した状態を維持し、ボールが挟持から抜け出すことにより筆記体の筆記先端部が軸筒の先端開口部に没入することを特徴とする、ノック式筆記具。」
である。
【０００８】
本発明においては、前記ボール挟持棒体は、ホルダー部材と一体に形成して設けても良いし、別部材で形成しホルダー部材に固定して設けても良い。ボール挟持棒体の形状や大きさについては特に制約はなく、断面が四角形状または円形状の棒状体であっても良いしパイプ状であっても良いが、重要なのは、ボール挟持棒体がボールを後側壁部に押圧することでボール挟持棒体と後側壁部とで確実に挟持でき、軸筒への僅かな衝撃によりボールが挟持から抜け出すようにすることで、ボール挟持棒体の形状や大きさは、ノック体を後方へ付勢するばねの付勢力やボールの大きさや重量等を考慮して適宜決定すれば良い。軸筒への僅かな衝撃により、ボールが挟持から抜け出し飛び出し易くするには、ボール挟持棒体のボールへの当接部分がボールの中心位置より若干偏倚した位置で当接するように設けることが好ましい。
【０００９】
前記ホルダー押棒体の形状や大きさについては特に制約はないが、ボール収容室に収容されたボールの軸径方向への移動の妨げとならないような位置に適度な大きさのものを設ける必要がある。
【００１０】
前記前方壁部の軸心方向の長さは、ノック体へのノック操作によるノック体の前進にともない筆記体の筆記先端部が軸筒の先端開口部から突出した際に、ホルダー部材もノック体に連動して前進し、ボール挟持棒体も前進するので、該ボール挟持棒体の後端が前方壁部より抜け出さない程度の長さが必要である。
【００１１】
本発明においては、ボールがボール挟持棒体と後側壁部とで挟持されたときに筆記先端が軸筒の先端開口部より突出するので、ボールの大きさは、それを満足するように設定する必要がある。ボールの材質については、特に制約はない。
【発明の効果】
【００１２】
本発明は前記したような構造なので、軸筒の後端部内に、ノック可能に軸筒の後端開口部より一部を外方に突出させたノック体を配したノック式筆記具において、ノック体を押圧することにより筆記体の筆記先端部を軸筒の先端開口部より突出して維持し、筆記具を机上等へ載置した際の軸筒への僅かな衝撃により筆記体の筆記先端部を軸筒の先端開口部に没入させる自動復帰機構を設けたノック式筆記具を得ることができた。
【００１３】
また、ボールを後側壁部とで挟持して保持するためのボール挟持棒体のボールへの押圧力、すなわち筆記体を後方へ付勢しているばねの弾発力と、ボールの重量を調整することにより、筆記具を水平に傾けることにより、ボールの重量がボール挟持棒体の押圧力より勝り、自動的に、筆記先端部の軸筒の先端開口部からの突出状態を解除して、筆記先端部を軸筒の先端開口部に没入できるノック式筆記具とすることもできる。
【発明を実施するための最良の形態】
【００１４】
本発明のノック式筆記具は、ノック体と筆記体との間にボールを介在することにより、筆記体をボールがボール挟持棒体と後側壁部とで挟持される分だけ前進させて、筆記体の筆記先端部を軸筒の先端開口部から突出させて、その状態を維持する構造とするものである。
【実施例】
【００１５】
本発明のノック式筆記具の実施例を図面を用いて説明するが、本発明は以下の実施例に限定されるものではない。
図１〜図４に示す本実施例のノック式筆記具１の軸筒２は、円筒状の軸部３と先窄み状の口先部４とで構成されている。軸部３の後端部３ａ内には、軸部３の軸径方向において偏倚させて（本実施例では、図１において下側方向に偏倚させてある。）、本体部５ａと該本体部５ａの外径より大径な押圧部５ｂとで構成されたノック体５を装着してある。ノック体５の偏倚した方向と反対側の軸部３の内部には、図２に示すような、内側に突出して軸心方向に伸びた突出部６を設けてある。該突出部６の先端面６ａは、平坦面としてある。
【００１６】
ノック体５は、軸部３の内壁に内方に突出させて形成した固定段部７に前記本体部５ａを遊嵌し、固定段部７と押圧部５ｂとの間にばね８を介在してノック体５を後方に付勢した状態で、押圧部５ｂの一部を軸部３の後端開口部３ｂより外方に突出させて配してあり、本体部５ａの先端（図１において左側方向）に形成したねじ部９に円筒状の摺動部材１０の被ねじ部１０ａをねじ嵌合して、摺動部材１０を前記固定段部７の前方（図１において左側方向）に位置させて設けてある。摺動部材１０が固定段部７に当接することで、軸部３の後端開口部３ｂより抜け出さないようにしてある。
【００１７】
前記摺動部材１０は、先端（図１において左側方向）を傾斜壁面１１としてあり、該傾斜壁面１１の前方に位置した側の前方端部１１ａには、口先部４の先端開口部１２側に向って突出したホルダー押棒体１３を設けてある。摺動部材１０は、図３に示すように、傾斜壁面１１のホルダー押棒体１３を設けた側と反対側の後方端部１１ｂに前記軸部３の突出部６が係合する係合溝１４を設けてあり、後方端部１１ｂ側が突出部６側に位置するようにし、係合溝１４に突出部６を係合して、ノック体５に連接している。なお、本実施例ではホルダー押棒体１３を摺動部材１０と一体に形成したが、別部材で形成して摺動部材１０に固定しても良い。
【００１８】
摺動部材１０の傾斜壁面１１の前方（図１において左側方向）の軸部３の内部には、図４に示すような断面が円形状の前方壁部材１５を、軸部３内を移動することのないように、軸部３に打ち込んだピン１６を、前方壁部材１５の側部１７に設けた貫通孔１８に挿入することで軸部３に固定して設けてある。
【００１９】
前記前方壁部材１５の後方端面１９と前記軸部に設けた突出部６の先端面６ａと摺動部材１０の傾斜壁面１１とで形成される空間のボール収容室２０には、黄銅で製造したボール２１を収容してある。
【００２０】
前方壁部材１５の前記ホルダー押棒体１３に対向する側の端部１５ａ（図１においては下側の端部）には凹溝２２を設けてあり、ホルダー押棒体１３が前方壁部材１５に対して前後動可能に遊嵌している。
【００２１】
前方壁部材１５の前方の軸筒２内には、前後に移動可能にかつばね２３により後方に付勢して筆記体２４が収容してあり、該筆記体２４の後端部２４ａにはホルダー部材２５が、該ホルダー部材２５に設けた嵌合溝２６に後端部２４ａを嵌合して装着してある。
【００２２】
前記ホルダー部材２５の後端面２５ａには、後方（図１において右側方向）に向かって突出したボール挟持棒体２７を、前記ホルダー押棒体１３と反対側の軸部３の内壁面（図１において上側の壁面）の近傍に偏倚した位置に設けてある。前方壁部材１５には、図４に示すように、凹溝２２と反対側の他方の端部１５ｂ（図４において上側端部）に貫通したボール挟持棒体用孔２８を形成してあり、前記ボール挟持棒体２７は、ボール挟持棒体用孔２８を通ってボール収容室２０内に突出し、前記軸部３の突出部６の先端面６ａに対向するように設けてある。
【００２３】
本実施例においては、軸部３の後端部３ａに、クリップ２９を、クリップ先端部２９ａが軸部３の側面３ｃに当接、側面３ｃから離間するように回動可能にクリップ２９に枢軸３０を設けて具設してある。クリップ２９の後端部２９ｂにはばね３１が装着してあり、常にクリップ２９の玉部３２が軸部３の側面３ｂに押圧された状態態にしてある。しかし、本発明においては、クリップが具設されていない構造であっても良い。
【００２４】
次に、動作について図５〜図７を用いて説明すると、先ず、ノック体５を押圧すると、図５に示すように、ノック体５およびノック体５に連接した摺動部材１０が前進し、摺動部材の傾斜壁面１１はボール収容室２０に収容されたボール２１に当接すると同時に、摺動部材１０に設けたホルダー押棒体１３の先端もホルダー部材２５の後端面２５ａに当接して該ホルダー部材２５を押圧し、ホルダー部材２５および筆記体２４も前進し、筆記体２４の筆記先端部３３は、口先部４の先端開口部１２より若干突出する。
【００２５】
さらにノック体５を押圧し続けると、図６に示すように、ボール２１は傾斜壁面１１により軸部３に設けた突出部６側に移動するとともに、ボール挟持棒体２７は前方壁部材１５のボール挟持棒体用孔２８内に没入し、筆記体２４の筆記先端部３３は、さらに口先部４の先端開口部１２より突出する。
【００２６】
ノック体５の押圧を解除すると、図７に示すように、ノック体５はばね８の付勢力により元の位置に復帰するが、ボール挟持棒体２７は筆記体２４を後方に付勢するばね２３により筆記体２４を介して後方に押圧されているので、ボール２１をボール挟持棒体２７と軸部３の突出部６とで挟持し続ける。
【００２７】
図示していないが、ボール２１を黄銅で形成して重くしてあるので、本実施例のノック式筆記具１を机上等に載置したときの僅かな衝撃により、ボール２１がボール挟持棒体２７と軸部３の突出部６との挟持から抜け出し、筆記体２４の筆記先端部３３は、口先部４の先端開口部１２に没入する。
【産業上の利用可能性】
【００２８】
本発明のノック式筆記具は、軸筒内に１本の筆記体を収容した構造のノック式筆記具において、軸筒の先端開口部より突出した筆記体の筆記先端部を、ノック体を操作することなく筆記体の筆記先端部を軸筒の先端開口部に没入させるものである。
【図面の簡単な説明】
【００２９】
【図１】本発明のノック式筆記具の実施例を示す、縦断面図である。
【図２】図１におけるＡ−Ａ線部分を断面した、クリップおよび内部機構を省略した軸部の拡大端面図である。
【図３】図１における摺動部材を示し、（ａ）は摺動部材の拡大正面図であり、（ｂ）は摺動部材の拡大側面図である。
【図４】図１における前方壁部材を示し、（ａ）は前方壁部材の拡大正面図であり、（ｂ）は前方壁部材の拡大側面図である。
【図５】本実施例のノック式筆記具のノック体を押圧したときの最初の状態を示す、ノック式筆記具の縦断面図である。
【図６】図１において、ノック体をさらに押圧して、ボール収容室のボールが移動し、ボールをボール挟持棒体と軸部の突出部とで挟持した状態を示す、ノック式筆記具の縦断面図である。
【図７】本実施例のノック式筆記具において、筆記体の筆記先端部が突出して筆記可能状態を示す、ノック式筆記具の縦断面図である。
【符号の説明】
【００３０】
１  ノック式筆記具
２  軸筒
５  ノック体
８  ばね
１０  摺動部材
１１  傾斜壁面
１３  ホルダー押棒体
１５  前方壁部材
１９  後方端面
２０  ボール収容室
２１  ボール
２３  ばね
２４  筆記体
２５  ホルダー部材
２７  ボール挟持棒体
【図１】
2010105177.tif 000003
【図２】
2010105177.tif 000004
【図３】
2010105177.tif 000005
【図４】
2010105177.tif 000006
【図５】
2010105177.tif 000007
【図６】
2010105177.tif 000008
【図７】
2010105177.tif 000009
【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
軸筒内に収容したばねにより後方に付勢した筆記体を、軸筒の後端部に設けたノック体を押圧して前進させ、筆記体の筆記先端部を軸筒の先端開口部から突出するノック式筆記具であって、前記軸筒の後端部の内部に、ばねにより後方に付勢したノック体を、軸筒の軸径方向において偏倚した位置に配し、軸径方向の偏倚した位置と反対側の軸筒の後端部の内部に、内側に突出して軸心方向に伸び、先端面を平坦面とした突出部を形成し、ノック体の先端に、先端を傾斜壁面とし、該傾斜壁面の前方側に位置する前方端部に軸筒の先端開口部側に向って突出したホルダー押棒体を設けた摺動部材を、傾斜壁面の前記ホルダー押棒体と反対側の後方端部が、前記突出部側に位置するように連接し、傾斜壁面の軸筒の先端開口部側の前方の軸筒内に、軸筒に対して移動することのないように前方壁部を設けて、該前方壁部と摺動部材の傾斜壁面と突出部とで構成されるボール収容室を形成し、該ボール収容室内にボールを収容し、前方壁部の前方の軸筒内に前後に移動可能に収容した筆記体の後端部に、該後端部を保持したホルダー部材を設け、該ホルダー部材の後端に、前方壁部に貫通してボール収容室内に突出し前方壁部に対して移動可能なボール挟持棒体を設け、前記摺動体のホルダー押棒体を、前方壁部を貫通して前方壁部に対して前後動可能にかつ先端がホルダー部材の後端面に当接させた構造とし、ボール収容室内に収容したボールをボール挟持棒体と軸筒に設けた突出部の先端面とで挟持することで、筆記体の筆記先端部を軸筒の先端開口部から突出した状態を維持し、ボールが挟持から抜け出すことにより筆記体の筆記先端部が軸筒の先端開口部に没入することを特徴とする、ノック式筆記具。
【手続補正２】
【補正対象書類名】明細書
【補正対象項目名】０００７
【補正方法】変更
【補正の内容】
【０００７】
本発明は、
「１．軸筒内に収容したばねにより後方に付勢した筆記体を、軸筒の後端部に設けたノック体を押圧して前進させ、筆記体の筆記先端部を軸筒の先端開口部から突出するノック式筆記具であって、前記軸筒の後端部の内部に、ばねにより後方に付勢したノック体を、軸筒の軸径方向において偏倚した位置に配し、軸径方向の偏倚した位置と反対側の軸筒の後端部の内部に、内側に突出して軸心方向に伸び、先端面を平坦面とした突出部を形成し、ノック体の先端に、先端を傾斜壁面とし、該傾斜壁面の前方側に位置する前方端部に軸筒の先端開口部側に向って突出したホルダー押棒体を設けた摺動部材を、傾斜壁面の前記ホルダー押棒体と反対側の後方端部が、前記突出部側に位置するように連接し、傾斜壁面の軸筒の先端開口部側の前方の軸筒内に、軸筒に対して移動することのないように前方壁部を設けて、該前方壁部と摺動部材の傾斜壁面と突出部とで構成されるボール収容室を形成し、該ボール収容室内にボールを収容し、前方壁部の前方の軸筒内に前後に移動可能に収容した筆記体の後端部に、該後端部を保持したホルダー部材を設け、該ホルダー部材の後端に、前方壁部に貫通してボール収容室内に突出し前方壁部に対して移動可能なボール挟持棒体を設け、前記摺動体のホルダー押棒体を、前方壁部を貫通して前方壁部に対して前後動可能にかつ先端がホルダー部材の後端面に当接させた構造とし、ボール収容室内に収容したボールをボール挟持棒体と軸筒に設けた突出部の先端面とで挟持することで、筆記体の筆記先端部を軸筒の先端開口部から突出した状態を維持し、ボールが挟持から抜け出すことにより筆記体の筆記先端部が軸筒の先端開口部に没入することを特徴とする、ノック式筆記具。」
である。
【手続補正３】
【補正対象書類名】明細書
【補正対象項目名】００２３
【補正方法】変更
【補正の内容】
【００２３】
本実施例においては、軸部３の後端部３ａに、クリップ２９を、クリップ先端部２９ａが軸部３の側面３ｃに当接、側面３ｃから離間するように回動可能にクリップ２９に枢軸３０を設けて具設してある。クリップ２９の後端部２９ｂにはばね３１が装着してあり、常にクリップ２９の玉部３２が軸部３の側面３ｂに押圧された状態にしてある。しかし、本発明においては、クリップが具設されていない構造であっても良い。